(57)【要約】【課題】この発明は、主回路関係要素が収納されている区画室内の圧力上昇により放圧ダクトが自動的に形成されるようにし、小型で、外形寸法の標準化が可能な閉鎖型配電盤を得る。【解決手段】ケーブル室９は、第１開口部２０が閉鎖箱２の後面に形成され、外皮カバー２５が第１開口部２０を塞口するように取り付けられている。外皮カバー２５は、第１開口部２０から閉鎖箱２の後面を覆って上端に至る形状に形成され、第１開口部２０から作用する圧力が所定値を超えたときに塑性変形する塑性変形部を有している。これにより、ケーブル室９内の圧力が所定値を超えたときに塑性変形部が塑性変形し、外皮カバー２５が閉鎖箱２の後面から離反して第１開口部２０から閉鎖箱２の上端に至る放圧ダクト２９が構成される。【選択図】　　　　図６
2004129464.tif 000002
【特許請求の範囲】
【請求項１】
区画室が閉鎖箱内を区画遮蔽して上下方向に多段に、前後方向に少なくとも１列に、かつ、左右方向に少なくとも１列に形成され、主回路関係要素を含む構成要素が要素毎に該区画室内に収納されてなる閉鎖型配電盤において、
上記閉鎖箱の左右側面および後面の少なくとも一面に面し、かつ、最上段より下段に位置して、上記主回路関係要素が収納されている上記区画室は、放圧口が該一面に形成され、かつ、外皮カバーが該放圧口を塞口するように取り付けられており、
上記外皮カバーは、上記放圧口から上記一面を覆って上記閉鎖箱の上端に至る形状に形成され、かつ、上記放圧口から作用する圧力が所定値を超えたときに塑性変形する塑性変形部を有し、
上記区画室内の圧力が所定値を超えたときに上記塑性変形部が塑性変形し、上記外皮カバーが上記一面から離反して上記放圧口から上記閉鎖箱の上端に至る放圧ダクトを構成するようにしたことを特徴とする閉鎖型配電盤。
【請求項２】
上記外皮カバーの上端部は、上記閉鎖箱の天井の上面に沿うようにＬ字状に折り曲げられていることを特徴とする請求項１記載の閉鎖型配電盤。
【請求項３】
上記塑性変形部は、山折りと谷折りとを交互に少なくとも１回づつ繰り返して互いに密接する蛇腹状に構成されていることを特徴とする請求項１又は請求項２記載の閉鎖型配電盤。
【請求項４】
上記塑性変形部の蛇腹状に密接する部位が略四角形に構成されていることを特徴とする請求項３記載の閉鎖型配電盤。
【請求項５】
上記塑性変形部の蛇腹状に密接する部位が略三角形に構成されていることを特徴とする請求項３記載の閉鎖型配電盤。
【発明の詳細な説明】
【０００１】
【発明の属する技術分野】
この発明は、閉鎖箱に遮断器、制御ユニット等を収納するとともに、閉鎖箱に引き込まれ、遮断器に電源からの電力を供給する母線を備えた閉鎖型配電盤に関するものである。
【０００２】
【従来の技術】
この種の閉鎖型配電盤においては、主回路の短絡事故等の電気的故障が発生すると、閉鎖箱内の空気が故障電流によるアークエネルギーにより加熱され、内部圧力が上昇する。この圧力上昇値は、故障電流（アーク電流）とアーク電圧とで決まるアークエネルギー、区画室の容積、放圧面積等に依存し、故障発生後、１０ミリ秒程度の間に数十から数百ｋＰａまで上昇する。この現象は、爆発現象に酷似していることで良く知られている。
そして、閉鎖型配電盤の保守点検時には、作業者が閉鎖型配電盤の周囲で作業していることから、放圧フラッパを閉鎖箱の天井部に設け、アークエネルギーにより加熱された高圧・高温空気を閉鎖箱の天井方向に放出するようにしている。また、閉鎖型配電盤では、保持点検作業時における作業者の感電防止を主眼とし、さらに主回路の短絡事故による損傷を局限化し、設備の復旧を早めるために、主回路の要素区分毎に区画遮蔽する構造を採っている。
【０００３】
従来の閉鎖型配電盤においては、仕切り板が主母線の後部に天井板から床板まで上下方向に延設され、遮蔽板と協働して主母線および分岐母線を収納する母線室を形成するとともに、後部遮蔽板と協働してケーブル室を形成している。そして、母線室を換気する上部換気口と下部換気口とが天井板と仕切り板の下端部とに形成されている。さらに、ケーブル室を換気する上部換気口と下部換気口とが後部遮蔽板の上下両端部に形成されている。これにより、主母線等において、アーク短絡事故が発生し、母線室の圧力が上昇した場合には、上部換気口および下部換気口を通って直接外部に放圧されるようにしている（例えば、特許文献１参照）。
【０００４】
また、別の従来の閉鎖型配電盤においては、箱体の前端の片側に上下多段に遮断器室を形成し、この遮断器室の他側の前方に制御機器室を設け、この制御機器室の後方に共通放圧室を設け、この共通放圧室および遮断器室の後方の片側に変流器室を設け、この変流器室の他側に縦母線室を設け、この縦母線室および変流器室の後方にケーブル室を設け、各遮断器室や縦母線室で発生したアークによる圧力を、共通放圧室を介して箱体の上部に放出するようにしている（例えば、特許文献２参照）。
【０００５】
【特許文献１】
特開平８−３０８０３２号公報（段落０００６、００１５、００１８、図１）
【特許文献２】
特開平１０−３２２８１１号公報（段落００５２、図１、図２）
【０００６】
【発明が解決しようとする課題】
従来の閉鎖型配電盤においては、母線室およびケーブル室を箱体の上下方向に連続して形成され、換気口が母線室の天井およびケーブル室を構成する後遮蔽板の上端部に形成されているので、主母線設置部から換気口に至る母線室の部位およびケーブル設置部から換気口に至るケーブル室の部位がそれぞれ放圧ダクトを構成することになり、箱体の容積が増大し、小型化が図れない。また、短絡事故等に起因する圧力上昇の大きさに応じて放圧面積を変える必要がある場合、放圧ダクトの大きさを変えることになり、箱体の構造が複雑になり、箱体の外形寸法の種類が多くなる。
また、別の従来の閉鎖型配電盤においても、共通放圧室が箱体の上下方向に連続して形成されているので、箱体の容積が増大し、小型化が図れない。また、短絡事故等に起因する圧力上昇の大きさに応じて放圧面積を変える必要がある場合、共通放圧室の大きさを変えることになり、箱体の構造が複雑になり、箱体の外形寸法の種類が多くなる。
【０００７】
この発明は、上記のような課題を解決するためになされたもので、主回路関係要素が収納された区画室内の圧力上昇により放圧ダクトが自動的に形成されるようにして、正常時に所定の容積を必要とする放圧ダクトを省略し、小型で、外形寸法の標準化が可能な閉鎖型配電盤を得ることを目的とする。
【０００８】
【課題を解決するための手段】
この発明においては、閉鎖箱の左右側面および後面の少なくとも一面に面し、かつ、最上段より下段に位置して、主回路関係要素が収納されている区画室は、放圧口が該一面に形成され、かつ、外皮カバーが該放圧口を塞口するように取り付けられており、外皮カバーは、放圧口から該一面を覆って閉鎖箱の上端に至る形状に形成され、かつ、放圧口から作用する圧力が所定値を超えたときに塑性変形する塑性変形部を有し、区画室内の圧力が所定値を超えたときに塑性変形部が塑性変形し、外皮カバーが該一面から離反して放圧口から閉鎖箱の上端に至る放圧ダクトを構成するようにしたものである。
【０００９】
【発明の実施の形態】
以下、この発明の実施の形態を図について説明する。
実施の形態１．
図１乃至図３は、それぞれこの発明の実施の形態１に係る閉鎖型配電盤を示す縦断面図、上面図および背面図である。
【００１０】
各図において、仕切り３が閉鎖箱２の中央部に縦設されて、閉鎖箱２内が前後に区画されている。さらに、仕切り４が閉鎖箱２の仕切り３により区画された前部区画を上下に区画するように横設され、仕切り５が閉鎖箱２の仕切り３により区画された後部区画を上下に区画するように横設されている。これにより、遮断器室６が仕切り３の前部の上部側に形成され、端子台（図示せず）や接地開閉器の操作機構（図示せず）を収納する区画室７が遮断器室６の下側に形成されている。また、母線室８が遮断器室６の上部の後方に形成され、ケーブル室９が母線室８の下側に形成されている。つまり、遮断室６、区画室７、母線室８およびケーブル室９が区画室に相当し、区画室が、閉鎖箱２内を仕切り３、４で区画遮蔽して、上下方向に２段に、前後方向に２列に、かつ、左右方向に１列に形成されている。ここで、前後方向は、閉鎖箱２の奥行き方向に相当し、左右方向は、閉鎖箱２の幅方向に相当する。
【００１１】
そして、引出形の遮断器１１は遮断器室６内に収納され、遮断器室６の上部には、区画室としての制御室１０が形成され、制御ユニットが収納されている。また、母線室８内には、主回路水平母線１２が閉鎖箱２を水平（図１の紙面に垂直）に貫通するように配設され、ケーブル室９には、水平母線１２から遮断器１１を介して各用途回線毎に分岐された導体１３、変流器１４およびこの変流器１４を介して導体１３と外部回路とを接続するケーブル１５が収納されている。なお、遮断器１１、水平母線１２、導体１３、変流器１４およびケーブル１５が圧力上昇の要因となる短絡事故等によりアークを発生する主回路関係要素となる。
【００１２】
放圧フラッパ１６が遮断器室６の天井部に開口された放圧口（図示せず）を開閉するように該天井部にヒンジ１７周りに回動自在に取り付けられている。放圧フラッパ１８が母線室８の天井部に開口された放圧口（図示せず）を開閉するように該天井部にヒンジ１９周りに回動自在に取り付けられている。
ここで、ケーブル室９の後面を構成する閉鎖箱２の外皮には、放圧口としての第１開口部２０が母線室８の直下部に開口するように形成され、第２開口部２１が底部側に開口するように形成されている。そして、外皮カバー２５が第１開口部２０を塞口し、かつ、母線室８の後面を覆うように、閉鎖箱２の外皮にボルト２２により締着固定されている。また、蓋２３が第２開口部２１を塞口するように閉鎖箱２の外皮にボルト２２により締着固定されている。
【００１３】
ついで、外皮カバー２５の構造を図４および図５を参照しつつ説明する。なお、図５中、一点鎖線は山折り部を示し、二点鎖線は谷折り部を示している。
外皮カバー２５を構成する薄板鋼板２６は、図５に示されるように、四角形の主部２６ａと、主部２６ａの両側辺から外方に延在する三角形の一対の側片２６ｂ、２６ｃと、各側片２６ｂ、２６ｃから外方に延在する四角形の一対の取付片２６ｄ、２６ｅと、主部２６ａの一端辺から延設された鍔部２６ｆとからなる多角形に構成されている。そして、主部２６ａの他端辺の縁部と一対の取付片２６ｄ、２６ｅの側辺の縁部とに取付穴２７が複数穿設されている。
そして、薄板鋼板２６を、主部２６ａと一対の側片２６ｂ、２６ｃとの境界線２８ａ、２８ｂで山折りし、一対の側片２６ｂ、２６ｃと一対の取付片２６ｄ、２６ｅとの境界線２８ｃ、２８ｄで谷折りし、主部２６ａと鍔部２６ｆとの境界線２６ｅで山折りして、外皮カバー２５が、作製されている。
【００１４】
このように構成された外皮カバー２５においては、図４に示されるように、側片２６ｂが境界線２８ａで略１８０度折り返されて主部２６ａの一側辺の裏面側に重ねられ、取付片２６ｄが境界線２８ｃで略１８０度折り返されて主部２６ａの一側辺から延出し、側片２６ｃが境界線２８ｂで略１８０度折り返されて主部２６ａの他側辺の裏面側に重ねられ、取付片２６ｅが境界線２８ｄで略１８０度折り返されて主部２６ａの他側辺から延出し、鍔部２６ｆが境界線２８ｅで略９０度折り返されて主部２６ａの一端辺からＬ字状に延出している。これにより、主部２６ａの両側部には、山折りと谷折りとを１回づつ行って、主部２６ａ、側辺２６ｂ、２６ｃおよび取付片２６ｄ、２６ｅが互いに密接する蛇腹状の塑性変形部３５が作製されている。なお、塑性変形部３５の蛇腹状に密接する部位は、略三角形となっている。
この外皮カバー２５は、ボルト２２を取付用穴２７に通して閉鎖箱２に締着固定して取り付けられる。これにより、主部２６ａが第１開口部２０を塞口し、かつ、母線室８の後面を密接状態で覆い、Ｌ字状に曲げられた鍔部２６ｆが母線室８の天井部の後端部を覆っている。
【００１５】
このように構成された閉鎖型配電盤１は、運転時、遮断器室６および母線室８の天井部に設けられた放圧口は放圧フラッパ１６、１８により閉じられており、かつ、ケーブル室９に設けられた第１開口部２０は外皮カバー２５により閉じられているので、粉塵や小動物の閉鎖型配電盤１内への侵入が防止されている。
【００１６】
そして、短絡事故等の電気的故障に起因するアークが遮断器室６や母線室８の内部で発生すると、そのアークエネルギーにより、遮断器室６や母線室８内の空気が急速に加熱される。これにより、遮断器室６や母線室８内の空気が膨張し、圧力が上昇する。この圧力上昇が放圧フラッパ１６、１８に作用し、放圧フラッパ１６、１８がヒンジ１７、１９周りに回動し、遮断器室６や母線室８の天井部の放圧口が開放され、遮断器室６や母線室８内の高圧・高温空気が放圧口から放出される。
【００１７】
また、図６に示されるように、短絡事故等の電気的故障に起因するアーク３０がケーブル室９の内部で発生すると、そのアークエネルギーにより、ケーブル室９内の空気が急速に加熱される。これにより、ケーブル室９内の空気が膨張し、圧力が上昇する。この圧力上昇が外皮カバー２５の主部２６ａを外側に押圧するように作用する。そこで、側片２６ｂ、２６ｃと取付片２６ｄ、２６ｅとの折り曲げ部（境界部２８ｃ、２８ｄ）が塑性変形して、側片２６ｂ、２６ｃが取付片２６ｄ、２６ｅに対して折り曲げ部（境界部２８ｃ、２８ｄ）を中心として開かれる。同様に、側片２６ｂ、２６ｃと主部２６ａとの折り曲げ部（境界部２８ａ、２８ｂ）が塑性変形して、主部２６ａが側片２６ｂ、２６ｃに対して折り曲げ部（境界部２８ａ、２８ｂ）を中心として開かれる。これにより、密接していた蛇腹状の塑性変形部３５が拡張され、主部２６ａが、閉鎖箱２に固定された他端辺周りに回動して母線室８の後面から離反し、第１開口部２０と母線室８の天井部の上部とを連通する放圧ダクト２９が形成される。そして、ケーブル室９内の高圧・高温空気３１が第１開口部２０から放圧ダクト２９内を通って母線室８の天井部の上部に放出される。
【００１８】
ここで、区画室７および制御室１０は、主回路関係要素を内蔵していないので、内部故障時に、大きなアークエネルギーが発生せず、放圧手段を設ける必要はない。
【００１９】
このように、この実施の形態１によれば、短絡事故等の電気的故障に起因するアーク３０が、遮断器室６、母線室８およびケーブル室９の内部で発生しても、アーク３０により発生される高圧・高温空気３１は、閉鎖型配電盤１の天井部の上部に速やかに排出されるので、アーク３１が発生した区画に隣接する区画が損傷を被ることが未然に防止されるとともに、閉鎖箱２の前面側、側面側および後面側の外皮への損傷が防止される。さらに、高圧・高温空気３１の閉鎖型配電盤１の側部や後部への放出が阻止されるので、閉鎖型配電盤１の周囲にいる保守点検作業者の作業安全性が高められる。
【００２０】
また、外皮カバー２５が、第１開口部２０を塞口し、閉鎖箱２の後面に密接して閉鎖箱２の上端に至るように取り付けられ、外皮カバー２５の塑性変形部３５がケーブル室９内の電気的故障の発生による圧力上昇により塑性変形して放圧ダクト２９を自動的に形成するようにしているので、閉鎖箱２の容積や構造を変えることなく放圧ダクト２９を構成することができ、閉鎖型配電盤１の小型化が図られ、設置面積の省スペース化が図られる。また、放圧ダクト２９は、主部２６ａ、塑性変形して拡張された一対の塑性変形部３５および閉鎖箱２の後面により囲まれて構成されるので、高圧・高温空気３１は周囲に漏れることなく閉鎖箱２の天井部から速やかに放出される。
【００２１】
ここで、所定容積を有する放圧ダクトをケーブル室９から閉鎖箱２の天井部に至るように予め構成する場合、ケーブル室９は母線室８の下段に位置していることから、放圧ダクトはケーブル室９から母線室８を避けて閉鎖箱２の天井部に至るように構成する必要があり、閉鎖箱の大型化および構造の複雑化をもたらしてしまう。そこで、本発明は、閉鎖箱２の容積や構造を変える必要がないので、最上段より下段に位置し、かつ、閉鎖箱の周壁（左右側面および後面）側に位置する区画室の内部に発生する高圧・高温空気を閉鎖箱の天井部の上方に放出する場合に適用すれば、極めて著しい効果が得られる。
【００２２】
また、塑性変形部３５の蛇腹状に密接する部位が三角形となっているので、放圧ダクト２９の面積を小さくでき、故障時のアークエネルギーが小さな場合に適用できる。
また、外皮カバー２５の上端をＬ字状に折り曲げて鍔部２６ｆを形成しているので、外皮カバー２５が取り付けられた際に、鍔部２６ｆが閉鎖箱２の天井部の上面に沿うようになる。そこで、粉塵や小動物の閉鎖型配電盤１内への侵入が確実に防止される。
【００２３】
また、故障時のアークエネルギーの大きさに応じて放圧ダクトの大きさを変える必要がある。本発明では、外皮カバー２５の大きさ、形状を変えることで放圧ダクト２９の面積を変えることができるので、外皮カバー２５の大きさ、形状を変えることにより、故障時のアークエネルギーの大きさに応じた放圧ダクトを構成できる。そこで、故障時のアークエネルギーの大きさに応じて閉鎖箱２の大きさ（例えば、奥行き寸法）を変える必要がなく、閉鎖箱２の標準化が可能となる。例えば、塑性変形部３５の蛇腹状に密接する部位の形状や面積を変えることで、放圧ダクトの面積を変えることができる。
【００２４】
なお、上記実施の形態１において、接地開閉器を設ける場合には、該接地開閉器はケーブル室９に設置され、区画室７に設置された操作機構により開閉操作されることになる。
また、上記実施の形態１では、山折りと谷折りとを１回づつ行って塑性変形部３５を作製するものとしているが、山折りと谷折りとの繰り返し回数は１回に限定されるものではなく、山折りと谷折りとを交互に複数回づつ繰り返して塑性変形部３５を作製してもよい。この場合、繰り返し回数が増えるほど、放圧ダクトの面積が大きくなる。つまり、山折りと谷折りとの繰り返し回数を変えることで、故障時のアークエネルギーの大きさに応じた放圧ダクトを構成できる。
また、上記実施の形態１では、外皮カバー２５を閉鎖箱２の後面に取り付けるものとしているが、第１開口部２０を閉鎖箱２の側面に形成し、外皮カバー２５を、第１開口部２０を塞口し、閉鎖箱２の側面を密接状態で覆って閉鎖箱２の上端まで至るように閉鎖箱２の側面に取り付けてもよい。
【００２５】
実施の形態２．
図７はこの発明の実施の形態２に係る閉鎖型配電盤を示す背面図、図８はこの発明の実施の形態２に係る閉鎖型配電盤に適用される外皮カバーを示す斜視図、図９はこの発明の実施の形態２に係る閉鎖型配電盤に適用される外皮カバーの構成を説明する展開図である。なお、図９中、一点鎖線は山折り部を示し、二点鎖線は谷折り部を示している。
【００２６】
外皮カバー４０を構成する薄板鋼板４１は、図９に示されるように、四角形（台形）の主部４１ａと、主部４１ａの両側辺から外方に延在する四角形（平行四辺形）の一対の側片４１ｂ、４１ｃと、各側片４１ｂ、４１ｃから外方に延在する四角形（台形）の一対の取付片４１ｄ、４１ｅと、主部４１ａの一端辺から延設された鍔部４１ｆとからなる多角形に構成されている。そして、主部４１ａの他端辺の縁部、一対の側片４１ｂ、４１ｃおよび一対の取付片４１ｄ、４１ｅに取付穴２７が複数穿設されている。
そして、薄板鋼板４１を、主部４１ａと一対の側片４１ｂ、４１ｃとの境界線４２ａ、４２ｂで山折りし、一対の側片４１ｂ、４１ｃと一対の取付片４１ｄ、４１ｅとの境界線４２ｃ、４２ｄで谷折りし、主部４１ａと鍔部４１ｆとの境界線４２ｅで山折りして、外皮カバー４０が、作製されている。
【００２７】
このように構成された外皮カバー４０においては、図８に示されるように、側片４１ｂが境界線４２ａで略１８０度折り返されて主部４１ａの一側辺の裏面側に重ねられ、取付片４１ｄが境界線４２ｃで略１８０度折り返されて主部４１ａの一側辺から延出し、側片４１ｃが境界線４２ｂで略１８０度折り返されて主部４１ａの他側辺の裏面側に重ねられ、取付片４１ｅが境界線４２ｄで略１８０度折り返されて主部４１ａの他側辺から延出し、鍔部４１ｆが境界線４２ｅで略９０度折り返されて主部４１ａの一端辺からＬ字状に延出している。これにより、主部４１ａの両側部には、山折りと谷折りとを１回づつ行って、主部４１ａ、側辺４１ｂ、４１ｃおよび取付片４１ｄ、４１ｅが互いに密接する蛇腹状の塑性変形部３６が作製されている。なお、塑性変形部３６の蛇腹状に密接する部位は、平行四辺形となっている。
この外皮カバー４０は、図７に示されるように、ボルト２２を取付用穴２７に通して閉鎖箱２の後面に締着固定して取り付けられる。これにより、主部４１ａが第１開口部２０を塞口し、かつ、母線室８の後面を密接状態で覆い、Ｌ字状に曲げられた鍔部４１ｆが母線室８の天井部の後端部を覆っている。
【００２８】
このように構成された閉鎖型配電盤においても、短絡事故等の電気的故障に起因するアーク３０がケーブル室９の内部で発生すると、そのアークエネルギーにより、ケーブル室９内の空気が加熱されて膨張し、圧力が上昇する。この圧力上昇が外皮カバー４０の主部４１ａを外側に押圧するように作用する。そこで、側片４１ｂ、４１ｃと取付片４１ｄ、４１ｅとの折り曲げ部（境界部４２ｃ、４２ｄ）が塑性変形して、側片４１ｂ、４１ｃが取付片４１ｄ、４１ｅに対して折り曲げ部（境界部４２ｃ、４２ｄ）を中心として開かれる。同様に、側片４１ｂ、４１ｃと主部４１ａとの折り曲げ部（境界部４２ａ、４２ｂ）が塑性変形して、主部４１ａが側片４１ｂ、４１ｃに対して折り曲げ部（境界部４２ａ、４２ｂ）を中心として開かれる。これにより、密接していた蛇腹状の塑性変形部３６が拡張され、主部４１ａが、閉鎖箱２に固定された他端辺周りに回動して母線室８の後面から離反し、第１開口部２０と母線室８の天井部の上部とを連通する放圧ダクトが形成される。そして、ケーブル室９内の高圧・高温空気３１が第１開口部２０から放圧ダクト内を通って母線室８の天井部の上部に放出される。
【００２９】
従って、この実施の形態２においても、上記実施の形態１と同様の効果が得られる。
また、この実施の形態２によれば、側片４１ｂ、４１ｃ（塑性変形部３６の蛇腹状に密接する部位）が平行四辺形に形成されているので、側片２６ｂ、２６ｃ（塑性変形部３５の蛇腹状に密接する部位）が三角形に形成されている上記実施の形態１に比べて、放圧ダクトの面積（容積）が大きく、故障時のアークエネルギーが大きな場合に適用できる。
【００３０】
実施の形態３．
図１０はこの発明の実施の形態３に係る閉鎖型配電盤に適用される外皮カバーを示す斜視図、図１１はこの発明の実施の形態３に係る閉鎖型配電盤に適用される外皮カバーの構成を説明する展開図である。なお、図１１中、一点鎖線は山折り部を示し、二点鎖線は谷折り部を示している。
【００３１】
外皮カバー４５を構成する薄板鋼板４６は、図１１に示されるように、四角形（台形）の主部４６ａと、主部４６ａの一側辺から外方に延在する三角形の側片４６ｂと、側片４６ｂから外方に延在する四角形（台形）の取付片４６ｃと、主部４６ａの一端辺から延設された鍔部４６ｄとからなる多角形に構成されている。そして、主部４６ａおよび取付片４６ｃに取付穴２７が複数穿設されている。そして、薄板鋼板４６を、主部４６ａと側片４６ｂとの境界線４７ａで山折りし、側片４６ｂと取付片４６ｃとの境界線４７ｂで谷折りし、主部４６ａと鍔部４６ｄとの境界線４７ｃで山折りして、外皮カバー４５が、作製されている。
【００３２】
このように構成された外皮カバー４５においては、図１０に示されるように、側片４６ｂが境界線４７ａで略１８０度折り返されて主部４６ａの一側辺の裏面側に重ねられ、取付片４６ｃが境界線４７ｂで略１８０度折り返されて主部４６ａの一側辺から延出し、鍔部４６ｄが境界線４７ｃで略９０度折り返されて主部４６ａの一端辺からＬ字状に延出している。これにより、主部４６ａの一側部には、山折りと谷折りとを１回づつ行い、主部４６ａ、側辺４６ｂおよび取付片４６ｃが互いに密接する蛇腹状の塑性変形部３７が作製されている。なお、塑性変形部３７の蛇腹状に密接する部位は、三角形となっている。
この外皮カバー４５は、上記各実施の形態と同様に、ボルト２２を取付用穴２７に通して閉鎖箱２の後面に締着固定して取り付けられる。これにより、主部４６ａが第１開口部２０を塞口し、かつ、母線室８の後面を密接状態で覆い、Ｌ字状に曲げられた鍔部４６ｄが母線室８の天井部の後端部を覆っている。
【００３３】
このように構成された閉鎖型配電盤においても、短絡事故等の電気的故障に起因するアーク３０がケーブル室９の内部で発生すると、そのアークエネルギーにより、ケーブル室９内の空気が加熱されて膨張し、圧力が上昇する。この圧力上昇が外皮カバー４５の主部４６ａを外側に押圧するように作用する。そこで、側片４６ｂと取付片４６ｃとの折り曲げ部（境界部４７ｂ）が塑性変形して、側片４６ｂが取付片４６ｃに対して折り曲げ部（境界部４７ｂ）を中心として開かれる。同様に、側片４６ｂと主部４６ａとの折り曲げ部（境界部４７ａ）が塑性変形して、主部４６ａが側片４６ｂに対して折り曲げ部（境界部４７ａ）を中心として開かれる。これにより、密接していた蛇腹状の塑性変形部３７が拡張され、主部４６ａが、閉鎖箱２に固定された他端辺周りに回動して閉鎖箱２の裏面から離反し、第１開口部２０と母線室８の天井部の上部とを連通する放圧ダクトが形成される。そして、ケーブル室９内の高圧・高温空気３１が第１開口部２０から放圧ダクト内を通って母線室８の天井部の上部に放出される。
【００３４】
従って、この実施の形態３においても、上記実施の形態１と同様の効果が得られる。
また、この実施の形態３によれば、塑性変形部３７（三角形の側片４６ｂ）が主部４６ａの一側部にのみ形成されているので、塑性変形部３５（三角形の側辺２６ｂ、２６ｃ）が主部２６ａの両側部に形成されている上記実施の形態１に比べて、放圧ダクトの面積（容積）が小さく、故障時のアークエネルギーが小さな場合に適用できる。
【００３５】
なお、上記各実施の形態では、区画室が閉鎖箱２内に上下２段、前後に２列に形成されているものとしているが、区画室が形成される上下方向の段数、前後方向の列数はこれに限定されるものではない。同様に、区画室が形成される左右方向の列数も２列以上であってもよい。さらに、区画室の上下方向の段数は、前後方向の各列で、あるいは左右方向の各列で異なっていてもよい。
【００３６】
【発明の効果】
この発明は、以上説明したように、閉鎖箱の左右側面および後面の少なくとも一面に面し、かつ、最上段より下段に位置して、主回路関係要素が収納されている区画室は、放圧口が該一面に形成され、かつ、外皮カバーが該放圧口を塞口するように取り付けられ、外皮カバーは、放圧口から該一面を覆って閉鎖箱の上端に至る形状に形成され、かつ、放圧口から作用する圧力が所定値を超えたときに塑性変形する塑性変形部を有し、区画室内の圧力が所定値を超えたときに塑性変形部が塑性変形し、外皮カバーが該一面から離反して放圧口から閉鎖箱の上端に至る放圧ダクトを構成するようにしている。そこで、区画室内の圧力上昇によって自動的に放圧ダクトが形成されるので、放圧ダクトを区画室に予め形成しておく必要がなく、小型の閉鎖型配電盤が得られ、設置スペースの省スペース化も図られる。また、外皮カバーの形状、大きさを変えることで放圧ダクトの面積を変えることができるので、閉鎖箱の大きさを変えることなく、外皮カバーの形状、大きさを変えることで故障電流の大きさに応じた放圧ダクトを構成でき、閉鎖箱の標準化が可能となる。
【図面の簡単な説明】
【図１】この発明の実施の形態１に係る閉鎖型配電盤を示す縦断面図である。
【図２】この発明の実施の形態１に係る閉鎖型配電盤を示す上面図である。
【図３】この発明の実施の形態１に係る閉鎖型配電盤を示す背面図である。
【図４】この発明の実施の形態１に係る閉鎖型配電盤に適用される外皮カバーを示す斜視図である。
【図５】この発明の実施の形態１に係る閉鎖型配電盤に適用される外皮カバーの構成を説明する展開図である。
【図６】この発明の実施の形態１に係る閉鎖型配電盤における高圧・高温空気の放圧動作を説明する縦断面図である。
【図７】この発明の実施の形態２に係る閉鎖型配電盤を示す背面図である。
【図８】この発明の実施の形態２に係る閉鎖型配電盤に適用される外皮カバーを示す斜視図である。
【図９】この発明の実施の形態２に係る閉鎖型配電盤に適用される外皮カバーの構成を説明する展開図である。
【図１０】この発明の実施の形態３に係る閉鎖型配電盤に適用される外皮カバーを示す斜視図である。
【図１１】この発明の実施の形態３に係る閉鎖型配電盤に適用される外皮カバーの構成を説明する展開図である。
【符号の説明】
１　閉鎖型配電盤、２　閉鎖箱、６　遮断器室（区画室）、７　区画室、８　母線室（区画室）、９　ケーブル室（区画室）、１１　遮断器（主回路関係要素）、１２　水平母線（主回路関係要素）、１３　導体（主回路関係要素）、１４変流器（主回路関係要素）、１５　ケーブル（主回路関係要素）、２０　第１開口部（放圧口）、２５　外皮カバー、２９　放圧ダクト、３５、３６、３７　塑性変形部、４０　外皮カバー、４５　外皮カバー。
【図１】
2004129464.tif 000003
【図２】
2004129464.tif 000004
【図３】
2004129464.tif 000005
【図４】
2004129464.tif 000006
【図５】
2004129464.tif 000007
【図６】
2004129464.tif 000008
【図７】
2004129464.tif 000009
【図８】
2004129464.tif 000010
【図９】
2004129464.tif 000011
【図１０】
2004129464.tif 000012
【図１１】
2004129464.tif 000013